(57)【特許請求の範囲】
【請求項１】
十文字型に交差する二本の腕の基幹部（Ａ）、（Ｂ）とその先端部に直角に折曲する鉤腕（１ａ）、（１ｂ）を有する鉤十字形板状体（１）を基体とする立体型のブロック単位体（Ｍ）であって、前記単位体は二本の腕の基幹部の交差点を通過する互いに直交する三つの平面（Ｐ１）、（Ｐ２）、（Ｐ３）に対応して配置された三組の鉤十字形板状体を基体とする立体型のブロック単位体からなる卍ブロック。
【請求項２】
前記立体型のブロック単位体（Ｍ）を構成する鉤十字形板状体（１）の各腕の断面は正方形で、ブロック単位体（Ｍ）を構成する各腕の形状、長さ、間隔は、全て同一であって、各鉤十字形板状体の腕の基幹部と鉤腕との間隔（ｄ）は、各腕の外形寸法と隙間嵌め寸法差を有する請求項１記載の卍ブロック。
【請求項３】
請求項２に記載された立体型のブロック単位体（Ｍ）からなる卍ブロックを複数備えることを特徴とするブロック積み木。
【発明の詳細な説明】
【技術分野】
【０００１】  本発明はアーム状の部材だけで構成されたブロックが６面方向から自由に挿脱可能な自由度の大きなブロック積み木に関するものである。
【背景技術】
【０００２】  ブロック積み木には、一方の面に突起を設け、他方の面に開口を設けた立方体を互いに結合、或いは取り外し可能に構成したもの（例えば特許文献１）や、異なる多面体に連結用の凹凸を設けて組み合わせの自由度を増したもの（例えば特許文献２）が知られており、更に同じ形状のブロックに異なる形状の係合部を形成し、組み合わせたときの総合的形状の多様化を図るようにしたものが見られるが（例えば特許文献３）、これらは何れも結合部の形状や結合の方向または位置によっては結合部の形状を選択しなければならなかった。【特許文献１】実開昭５３−１５４０９９号公報
【特許文献２】特開２００４−１４２５９１号公報
【特許文献３】特開平０９−１８７５８０号公報
【発明の開示】
【発明が解決しようとする課題】
【０００３】  そこで、本発明は出来るだけ構造が簡単な結合機構を有するブロックが多面的に挿脱可能で、組み合わせの多様化に基づく空間的想像力の高揚を図り、頭脳の発達と芸術的創作力の育成に役立つことの出来るブロック積み木を提供しようとするものである。
【問題を解決するための手段】
【０００４】  本発明は、前記目的を達成するため、どの方向から見ても特定の形が見える立体模型の一つとして鉤十字形（「卍形」ともいう）の板状体を基体とする立体型の単位体であって、本発明の単位体であるブロックは断面正方形の腕を有する卍形板状体の組み合わせによる簡単な構造となっている。つまり、本発明のブロックは、十文字型に交差する二本の腕の基幹部とその先端部に直角に折曲する鉤腕を有する鉤十字形板状体（１）を基体とする立体型のブロック単位体であって、前記単位体は二本の腕の基幹部の交差点を通過する互いに直交する三つの平面に対応して配置された三組の鉤十字形板状体を基体とする立体型のブロック単位体（以下「卍ブロック」ともいう）を構成するのである。そして、このブロックを形成する全ての腕はその太さと形状及び各腕の長さと鉤十字形（卍形）板状体の腕の基幹部と鉤腕との間隔が全て同一に作成されているため、ブロックの全ての面から互いのブロックを容易に挿脱することが出来るようになっている。
【０００５】  そして、本発明は鉤十字形板状体三組からなる立体型のブロック単位体、つまり卍ブロックを積み木として使用するもので、無限の組み合わせにより本発明の目的である空間的想像力の高揚を図り、頭脳の発達と芸術的創作力の育成に役立つことが出来るのである。また、本発明の卍ブロックは、積み木による創作物の目的によって、金属や合成樹脂又は木材によって作成され、これらを組み合わせて使用することができる。更に、卍ブロックをそれぞれ着色することによっても組み合わせの多様化を計ることが出来る。卍ブロックの腕の表面をそれぞれ異なる色で着色することも、腕自体又はその一部を透明な材料で構成することもできる。
【発明の効果】
【０００６】  本発明は、どの方向から見ても特定の形に見える立体模型の一つとして鉤十字形板状体を基体とする立体型の単位体である卍ブロックを積み木用のブロックとして使用するものであって、本発明の基体である鉤十字形板状体は断面正方形の腕の組み合わせによる簡単な構造となっており、卍ブロックの全ての平面方向から挿脱可能な組み立て構造となっている。そして卍ブロック自体又は卍ブロックの任意の腕を着色したり透明な材料で構成したり、卍ブロック自体或いは一部分を異なる材料で構成することにより、更に優れた組み合わせの多様化と想像力の高揚を図ることができる効果を有する。
【発明を実施するための最良の形態】
【０００７】  以下、実施例に沿って本発明の実施形態を説明する。図１は本発明の卍ブロックＭの斜視図で、図２はこの卍ブロックの基体である卍形板状体の説明用斜視図である。図２について説明すると、これは図１における第１の平面Ｐ１に対応する卍形板状体を例にしたもので、１は、第１の平面Ｐ１とその中心で互いに直交する二つの腕の基幹部Ａ，Ｂと、各腕の基幹部の先端から互いに反対方向に直角に屈折する二組の鉤腕１ａ、１ａと１ｂ、１ｂを有する卍形板状体で、その腕の断面は全て正方形で、且つ各卍形板状体の腕の形状、構成は、全て同一寸法として作成され、互いに直交する腕の各基幹部とその先端鉤腕との間隔ｄ、つまり隣接する腕と腕との間隔は、腕の外径寸法と隙間嵌め寸法差を有し、常に円滑な挿脱作用を行うことが出来るような寸法となっている。【０００８】  図１は前述したように、本発明の卍ブロックＭの斜視図であって、図２にて説明した卍形板状体を組み合わせたものである。Ｐ１は第１の卍形板状体１の配置を示す第１の平面であって、Ｐ２は第２の卍形板状体２の配置を示す第２の平面で、Ｐ３は第３の卍形板状体３の配置を示す平面である。そして、それぞれの平面は図のように各卍形板状体の交差する腕の基幹部の中心で互いに直角に交差している。【０００９】  また、１ａ、１ｂは第１の平面Ｐ１を中心に構成される卍形板状体１の腕の基幹部Ａの先端部の鉤腕を示しており、２ａ、２ｃ、は第２の平面Ｐ２を中心に構成される卍形板状体２の腕の基幹部Ｃの先端部の鉤腕を、同様に３ｂ、３ｃ、は第３の平面Ｐ３を中心に構成される卍形板状体３の腕の基幹部Ｂの先端部の鉤腕を示している。つまり、第１の卍形板状体はその基体を構成する腕の基幹部Ａ，Ｂを、第２の卍形板状体は腕の基幹部Ａ，Ｃを、第３の卍形板状体は腕の基幹部Ｂ，Ｃをそれぞれ有することになるのである。そして、このように構成された卍ブロックは、卍形板状体のみからなる立体型の卍ブロックで、立方体の各平面から見た場合、どの方向から見ても完全な卍形の形状を呈するのである。【００１０】  図３は、本発明の２個の卍ブロックを結合する場合の説明図である。先ず、卍ブロックＭ１とＭ２の接合する方向を決定した後、ブロックＭ１又はブロックＭ２の先端部の鉤腕の隙間に一方のアームの先端部の鉤腕を差し込むことにより、様々な位置で様々な方向に結合することが出来る。【００１１】  図４は、３個のブロックＭ１、Ｍ２、Ｍ３を連結したものに更に１個のブロックＭ４を左方向から連結しようとするところを斜め上方から見た図である。このように、アームの先端部を差し込む間隙部の選択位置は非常に多いので、各種ブロックの組み合わせが可能であり、彩色された多くのブロックを使用することにより、無限に近いブロック積み木の創作物を生み出すことが出来る。【００１２】  図５は、本発明の卍ブロックを使用した積み木の第１の創作例で、これは１６個の卍ブロックを使用して組み上げた創作例「花」である。これは下から３個はブロックを重ね合わせたもので、その上に４個目のブロックを１２個のブロックと組み合わせて載置してある。下の４個を緑に上の１２個をピンクのブロックにすれば現実の花、例えばカーネーション等の姿が浮かび上がってくる筈である。【００１３】  図６は２０個の卍ブロックを用いて組み上げた第２の創作例「ビルディング」である。透明なアクリルブロックとアルミのブロックを使用すれば摩天楼らしい姿がイメージされるのではないかと思われる。同じ面に同じ色を、つまり計６色を使ったブロックを使用すれば、斜め方向から見下ろすと常に３色の面を見ることが出来、４通りの配色組み合わせを作ることができる。【００１４】  図７は卍ブロック３０個を用いて組み上げた第３の創作例「ダイヤモンド」である。これを透明なアクリルで組み上げれば、雅やかなダイヤモンドの結晶が浮かび上がるに違いないと思われる。  このように、本発明の卍ブロック積み木では、各種の組み合わせを自由に選択出来るので、組み合わせの多様化に基づく空間的想像力の高揚を図り、頭脳の発達と芸術的創作力の育成に役立つことの出来るブロック積み木を提供することが出来るのである。
【図面の簡単な説明】
【００１５】
【図１】本発明の卍ブロックの斜視図である。
【図２】本発明の卍ブロックの基体である鉤十字形板状体（卍形板状体）の説明用斜視図である。
【図３】本発明の卍ブロック２個（Ｍ１、Ｍ２）を結合する場合の説明図である。
【図４】本発明の卍ブロック４個（Ｍ１、Ｍ２、Ｍ３、Ｍ４）を連結する場合の説明図である。
【図５】本発明の卍ブロックで組み上げた第１の創作例である。
【図６】本発明の卍ブロックで組み上げた第２の創作例である。
【図７】本発明の卍ブロックで組み上げた第３の創作例である。
【符号の説明】
【００１６】Ａ、Ｂ、Ｃ・・・基幹部
１、２、３・・・鉤十字形板状体（卍形板状体）
１ａ、１ｂ、２ａ、２ｃ、３ｂ、３ｃ・・・鉤腕
Ｐ１・・・第１の平面
Ｐ２・・・第２の平面
Ｐ３・・・第３の平面
Ｍ・・・卍ブロック
ｄ・・・鉤十字形板状体の腕の基幹部と鉤腕との間隔
【図１】
0004734489.tif 000002
【図２】
0004734489.tif 000003
【図３】
0004734489.tif 000004
【図４】
0004734489.tif 000005
【図５】
0004734489.tif 000006
【図６】
0004734489.tif 000007
【図７】
0004734489.tif 000008